(57)【要約】【課題】  可動翼片の開閉作動時における装飾性を高めるとともに、可動翼片の開閉作動を遊技者の視覚に強く訴えることができる可変入賞装置を備えたパチンコ遊技機を提供する。【解決手段】  装飾翼片３６，３６を可動翼片１５，１５の回動に連係手段３８，３８を介して連動させて、可動翼片１５，１５が傾動位置に回動したとき、装飾翼片３６，３６を可動翼片１５，１５の回動角度以上に同方向へ回動する位置に変換し、可動翼片１５，１５が起立位置に回動したとき、装飾翼片３６，３６を起立位置となった可動翼片１５，１５と略重なる位置に変換するようにした。これにより、可動翼片１５，１５の開閉作動時に、左右一対の可動翼片１５，１５と左右一対の装飾翼片３６，３６とからなる計四枚の翼片が華やかに回動するので、可動翼片１５，１５の開閉作動時における装飾性が向上するとともに、可動翼片１５，１５の開閉作動を遊技者の視覚に強く訴えることができる。【選択図】  図４
2005034427.tif 000002
【特許請求の範囲】
【請求項１】
球流入孔の左右両側で、基部が第一の支軸によって回動可能に軸支された左右一対の可動翼片が、起立位置と、逆ハ字形に外側方に拡開する傾動位置とに変換制御される可変入賞装置を備えてなるパチンコ遊技機において、
前記第一の支軸の近傍位置に、第二の支軸を夫々配設し、該第二の支軸に夫々の基部を回動可能に軸支した左右一対の装飾翼片を、前記可動翼片の回動に連係手段を介して連動させて、可動翼片が傾動位置に回動したとき、装飾翼片を可動翼片の回動角度以上に同方向へ回動する位置に変換し、可動翼片が起立位置に回動したとき、装飾翼片を起立位置となった可動翼片と略重なる位置に変換するようにした可変入賞装置を備えてなることを特徴とするパチンコ遊技機。
【請求項２】
連係手段が、可動翼片に形成された、第一の支軸と同心状の円弧形ラックと、装飾翼片の基部に第二の支軸と同心状に形成されて前記円弧形ラックに噛合するピニオンとからなり、該ピニオンと前記円弧形ラックとの歯車比が、可動翼片が傾動位置に回動したとき、装飾翼片を可動翼片の回動角度以上に同方向へ回動する位置に変換し、かつ可動翼片が起立位置に回動したとき、装飾翼片を起立位置となった可動翼片と略重なる位置に変換する比率に設定された歯車機構であることを特徴とする請求項１記載のパチンコ遊技機。
【請求項３】
可動翼片の前面を副装飾面とするとともに、可動翼片の起立位置で該可動翼片の前部に重なって前記副装飾面を覆い隠すように装飾翼片を配置し、該装飾翼片が可動翼片の回動角度以上に同方向へ回動する位置に変換されると、可動翼片の副装飾面が表出するようにしたことを特徴とする請求項１又は請求項２記載のパチンコ遊技機。
【発明の詳細な説明】
【技術分野】
【０００１】
本発明は、可変入賞装置を備えたパチンコ遊技機に関する。
【背景技術】
【０００２】
パチンコ遊技機の遊技盤面に配設される可変入賞装置にあって、球流入孔の左右両側で、基部が支軸によって回動可能に軸支された左右一対の可動翼片を、上方に立ち上がる起立位置と、逆ハ字形に外側方に拡開する傾動位置とに変換制御するように構成した可変入賞装置が知られている（例えば、特許文献１参照）。尚、該特許文献１には、各可動翼片の対向する内側面に左右非対称の段部を形成することにより、球噛み発生を防止するようにした構成が開示されているが、本発明の目的外であるのでその説明は省略する。
【特許文献１】実開昭５４−１２４６８２号公報（第１図）
【発明の開示】
【発明が解決しようとする課題】
【０００３】
ところで、従来の可変入賞装置にあっては、左右一対となった二枚の可動翼片が、その開閉作動に際して、傾動位置と起立位置とを往復回動するだけであるため、可動翼片の開閉作動時における装飾性に乏しく、また、可動翼片の開閉作動を遊技者の視覚に強く訴えることができないという問題点があった。
【０００４】
本発明は、かかる従来の問題点を解消するためになされたものであり、可動翼片の開閉作動時における装飾性を高めるとともに、可動翼片の開閉作動を遊技者の視覚に強く訴えることができる可変入賞装置を備えたパチンコ遊技機を提供することを目的とするものである。
【課題を解決するための手段】
【０００５】
本発明は、球流入孔の左右両側で、基部が第一の支軸によって回動可能に軸支された左右一対の可動翼片が、起立位置と、逆ハ字形に外側方に拡開する傾動位置とに変換制御される可変入賞装置を備えてなるパチンコ遊技機において、前記第一の支軸の近傍位置に、第二の支軸を夫々配設し、該第二の支軸に夫々の基部を回動可能に軸支した左右一対の装飾翼片を、前記可動翼片の回動に連係手段を介して連動させて、可動翼片が傾動位置に回動したとき、装飾翼片を可動翼片の回動角度以上に同方向へ回動する位置に変換し、可動翼片が起立位置に回動したとき、装飾翼片を起立位置となった可動翼片と略重なる位置に変換するようにした可変入賞装置を備えてなることを特徴とするパチンコ遊技機である（請求項１）。ここで、装飾翼片は、可動翼片の前面側若しくは後面側に配置することができる。
【０００６】
前記連係手段としては、可動翼片に形成された、第一の支軸と同心状の円弧形ラックと、装飾翼片の基部に第二の支軸と同心状に形成されて前記円弧形ラックに噛合するピニオンとからなり、該ピニオンと前記円弧形ラックとの歯車比が、可動翼片が傾動位置に回動したとき、装飾翼片を可動翼片の回動角度以上に同方向へ回動する位置に変換し、かつ可動翼片が起立位置に回動したとき、装飾翼片を起立位置となった可動翼片と略重なる位置に変換する比率に設定された歯車機構が提案される（請求項２）。
【０００７】
また、可動翼片の前面を副装飾面とするとともに、可動翼片の起立位置で該可動翼片の前部に重なって前記副装飾面を覆い隠すように装飾翼片を配置し、該装飾翼片が可動翼片の回動角度以上に同方向へ回動する位置に変換されると、可動翼片の副装飾面が表出するようにした構成が提案される（請求項３）。ここで、可動翼片の副装飾面には、人目を惹く色彩やデザインを施すことができる。
【発明の効果】
【０００８】
本発明は、上述したように、左右一対の可動翼片の基部を回動可能に軸支する第一の支軸の近傍位置に、第二の支軸を夫々配設し、該第二の支軸に夫々の基部を回動可能に軸支した左右一対の装飾翼片を、可動翼片の回動に連係手段を介して連動させて、可動翼片が傾動位置に回動したとき、装飾翼片を可動翼片の回動角度以上に同方向へ回動する位置に変換し、可動翼片が起立位置に回動したとき、装飾翼片を起立位置となった可動翼片と略重なる位置に変換するようにした可変入賞装置を備えてなることを特徴とするパチンコ遊技機である（請求項１）から、連係手段を介して可動翼片の回動に連動する装飾翼片は、可動翼片が傾動位置に回動したとき、該可動翼片の回動角度以上に同方向へ回動する位置に変換され、可動翼片が起立位置に回動したとき、該可動翼片と略重なる位置に変換される。即ち、可動翼片の開閉作動時に、該可動翼片の回動角度以上の回動角度で装飾翼片が回動する。これにより、左右一対の可動翼片と左右一対の装飾翼片とからなる計四枚の翼片が華やかに回動するので、可動翼片の開閉作動時における装飾性が向上するとともに、可動翼片の開閉作動を遊技者の視覚に強く訴えることができる。
【０００９】
前記連係手段を、可動翼片に形成された、第一の支軸と同心状の円弧形ラックと、装飾翼片の基部に第二の支軸と同心状に形成されて前記円弧形ラックに噛合するピニオンとからなり、該ピニオンと前記円弧形ラックとの歯車比が、可動翼片が傾動位置に回動したとき、装飾翼片を可動翼片の回動角度以上に同方向へ回動する位置に変換し、かつ可動翼片が起立位置に回動したとき、装飾翼片を起立位置となった可動翼片と略重なる位置に変換する比率に設定された歯車機構とする構成（請求項２）にあっては、該歯車機構により、装飾翼片が可動翼片に連係され、該装飾翼片を可動翼片の回動に確実に連動させることができる。
【００１０】
また、可動翼片の前面を副装飾面とするとともに、可動翼片の起立位置で該可動翼片の前部に重なって前記副装飾面を覆い隠すように装飾翼片を配置し、該装飾翼片が可動翼片の回動角度以上に同方向へ回動する位置に変換されると、可動翼片の副装飾面が表出するようにした構成（請求項３）にあっては、可動翼片にも装飾性が付与され、可動翼片の開閉作動時における装飾性を、より一層高めることができる。
【発明を実施するための最良の形態】
【００１１】
以下に、本発明を第一種パチンコ遊技機に適用した第一実施例を、図１〜図４に基づいて説明する。
【００１２】
パチンコ遊技機の遊技盤１には、図１に示すように、その遊技盤面２上に略円形の誘導レール３で囲繞された遊技領域４が設けられており、該遊技領域４の略中央にセンターケース５が配設されている。このセンターケース５には、液晶表示器，ＣＲＴ表示器等からなる図柄表示装置６が組み付けられており、該図柄表示装置６の表示画面７には、三つの特別図柄Ａ，Ｂ，Ｃが変動表示される。また、表示画面７の一部領域には、普通図柄表示部９が設けられており、該普通図柄表示部９には右図柄と左図柄からなる二つの普通図柄Ｅ1 ，Ｅ2 が変動表示される。この普通図柄Ｅ1 ，Ｅ2 は、「７」と「−」の二種類の図柄で構成されており、右図柄及び左図柄ともに「７」が停止する当り図柄態様が確定表示された場合には、後述する可変入賞装置１３の可動翼片１５，１５が開閉駆動される。
【００１３】
一方、センターケース５の左右両側には、普通図柄始動ゲート（普通図柄始動領域）１２，１２が配設されており、遊技球の通過により、この普通図柄始動ゲート１２，１２が具備する普通図柄始動スイッチ（図示省略）から遊技球検出信号が発生すると、前記普通図柄表示部９の普通図柄Ｅ1 ，Ｅ2 が変動し、所定時間経過後に停止して種々の組み合わせの図柄態様が表示されることとなる。
【００１４】
また、センターケース５の直下位置には、左右一対の可動翼片１５，１５により入賞口を兼ねた入り口の開口度を変化させるようにした可変入賞装置１３が配設されている。そして前記普通図柄表示部９の表示結果が所定の当り図柄態様の場合には、ソレノイド２６（図２参照）を駆動源とする可動翼片１５，１５が所定時間、外側方に拡開されて、内部の球流入孔１４に遊技球が入り易い状態となる。遊技球の入賞により、この球流入孔１４が具備する特別図柄始動スイッチ（図示省略）から遊技球検出信号が発生すると、前記図柄表示装置６の表示画面７に特別図柄Ａ，Ｂ，Ｃを変動表示する図柄生成行程が実行されることとなる。この可変入賞装置１３は本発明の要部にかかるものであり、詳しくは後述する。
【００１５】
さらに、可変入賞装置１３の下方には、内部に特定領域と一般領域とを有する大入賞口２０を備え、かつ、横長矩形状の開閉片２１を図示しないソレノイド等の駆動源によって前後方向に開閉制御することにより、大入賞口２０を開放状態と閉鎖状態とに変換する変動入賞装置２２が配設されている。そして、前記図柄表示装置６の表示画面７に変動表示される特別図柄Ａ，Ｂ，Ｃが、所定の組み合わせの当り図柄態様で確定表示された場合に大当たりとしての特別遊技作動が実行され、開閉片２１が所定の開閉態様で開閉駆動される。
【００１６】
次に、本発明の要部である可変入賞装置１３について説明する。
可変入賞装置１３は、遊技盤面２に取り付けられるベース板２３を備えており、該ベース板２３の略中央には、図２に示すように、球流入孔１４が形成されている。また、ベース板２３にはその前面側に、前壁部２４ａと円弧状の下部周壁部２４ｂとを備えたカバー体２４が配設されており、該カバー体２４の前壁部２４ａと下部周壁部２４ｂとによってベース板２３の前方及び下半部分が覆われている。ベース板２３の表面には、球流入孔１４の左右両側に位置させて第一の支軸２５，２５が前方に向けて突成されており、該支軸２５，２５によって左右一対の可動翼片１５，１５の基部が回動可能に軸支されている。この可動翼片１５，１５の前面は副装飾面２７，２７となっており、該副装飾面２７，２７には人目を惹く色彩やデザインが施される。
【００１７】
また、両可動翼片１５，１５の裏面には、前記支軸２５，２５より内方に偏倚する位置に作動杆３２，３２（図４参照）が後方に向けて突成されている。該作動杆３２，３２は、図２に示すように、ベース板２３の裏面側に配設されたソレノイド２６のプランジャ３３にリンク部材３４を介して連繋されており、該ソレノイド２６のＯＮ作動によりプランジャ３３が引き込まれると、支軸３４’を支点として回動するリンク部材３４を介して、図３（イ）に示すように、可動翼片１５，１５が逆ハ字形に外側方に拡開する傾動位置に変換され、また、ソレノイド２６がＯＦＦとなりプランジャ３３がバネ付勢により押し出されると、リンク部材３４の回動を介して、図３（ロ）に示すように、可動翼片１５，１５が上方に立ち上がる起立位置に変換される。
【００１８】
また、前記カバー体２４の前壁部２４ａの裏面には、前記第一の支軸２５，２５に対して夫々上方外側位置となる近傍位置に第二の支軸３５，３５が後方に向けて突成されており、該支軸３５，３５によって、左右一対の装飾翼片３６，３６の基部が回動可能に軸支されている。ここで、該装飾翼片３６，３６は、図３（ロ），図４（ロ）に示すように、起立位置にある可動翼片１５，１５の上半部分を略覆い得る形状に形成されており、可動翼片１５，１５の起立位置で該可動翼片１５，１５の前部に重なって前記副装飾面２７，２７を覆い隠し得るように可動翼片１５，１５の前面側に配置されている。また、該装飾翼片３６，３６には、人目を惹く適宜の色彩やデザインが施される。
【００１９】
前記装飾翼片３６，３６は、可動翼片１５，１５の回動に連係手段３８，３８を介して連動し、可動翼片１５，１５が傾動位置に回動したとき、装飾翼片３６，３６が可動翼片１５，１５の回動角度以上に同じ方向の外側方へ回動する位置（図４（イ）参照）に変換され、可動翼片１５，１５が起立位置に回動したとき、装飾翼片３６，３６が同じ方向に回動して起立位置となった可動翼片１５，１５と略重なる位置（図４（ロ）参照）に変換されるように設けられている。
【００２０】
前記連係手段３８，３８は歯車機構によって構成されている。該歯車機構は、図２，図４に示すように、可動翼片１５，１５に形成された、第一の支軸２５，２５と同心状の円弧形ラック３９，３９と、装飾翼片３６，３６の基部に第二の支軸３５，３５と同心状に形成されて前記円弧形ラック３９，３９に噛合するピニオン４０，４０とからなる。ここで、円弧形ラック３９，３９は、図４（イ），（ロ）に示すように、第一の支軸２５，２５より上方位置で、可動翼片１５，１５に形成された円弧状長孔４１，４１の上周縁に内歯状に設けられており、前記円弧状長孔４１，４１内に配置されたピニオン４０，４０の上部側と噛合されている。これにより、可動翼片１５，１５の回動方向と同じ方向に装飾翼片３６，３６が回動するようになっている。また、ピニオン４０，４０と円弧形ラック３９，３９との歯車比は、可動翼片１５，１５が傾動位置に回動したとき、図４（イ）に示すように、装飾翼片３６，３６を可動翼片１５，１５の回動角度以上に回動する位置に変換し、かつ可動翼片１５，１５が起立位置に回動したとき、図４（ロ）に示すように、装飾翼片３６，３６を可動翼片１５，１５と略重なる位置に変換し得る比率に設定されている。ここで、図示した例では、ピニオン４０，４０と円弧形ラック３９，３９との歯車比を５０：１４４としている。また、可動翼片１５，１５の回動角度を５０°とし、装飾翼片３６，３６の回動角度が１４４°となっている。
【００２１】
かかる構成にあって、歯車機構からなる連係手段３８，３８により、装飾翼片３６，３６が可動翼片１５，１５に連係され、該装飾翼片３６，３６を可動翼片１５，１５の回動に確実に連動させることができる。そして、このように連係手段３８，３８を介して可動翼片１５，１５の回動に連動する装飾翼片３６，３６は、可動翼片１５，１５が傾動位置に回動したとき、該可動翼片１５，１５の回動角度以上に同方向へ回動する位置に変換され、可動翼片１５，１５が起立位置に回動したとき、該可動翼片１５，１５と略重なる位置に変換される。即ち、可動翼片１５，１５の開閉作動時に、該可動翼片１５，１５の回動角度以上の回動角度で装飾翼片３６，３６が回動する。これにより、左右一対の可動翼片１５，１５と左右一対の装飾翼片３６，３６とからなる計四枚の翼片が華やかに回動するので、可動翼片１５，１５の開閉作動時における装飾性が向上するとともに、該可動翼片１５，１５の開閉作動を遊技者の視覚に強く訴えることができる。また、可動翼片１５，１５の起立位置で装飾翼片３６，３６によって覆い隠された可動翼片１５，１５の前面の副装飾面２７，２７が、可動翼片１５，１５の傾動位置への回動に伴う装飾翼片３６，３６のそれ以上の回動によって表出するので、該可動翼片１５，１５にも装飾性が付与され、可動翼片１５，１５の開閉作動時における装飾性をより一層高めることができる。
【００２２】
尚、上記第一実施例では、装飾翼片３６，３６を可動翼片１５，１５の前面側に配設しているが、該装飾翼片３６，３６は、可動翼片１５，１５の裏面側に配設することも可能である。
【００２３】
図５，図６は、第二実施例を示す。この第二実施例では装飾翼片３６，３６の形状が若干変更され、可動翼片１５，１５の起立位置で該可動翼片１５，１５と略重なる主片部３６ａ，３６ａと、該主片部３６ａ，３６ａの基部から下方に延設された補助片部３６ｂ，３６ｂとにより、その全体形状を略く字形に形成したものとするとともに、該装飾翼片３６，３６をカバー体２４の前部側で回動させるようにしている。この場合、第二の支軸３５，３５は、図５に示すように、ベース板２３の表面から前方に向けて突成されており、該支軸３５，３５によって左右一対の装飾翼片３６，３６が、カバー体２４の前壁部２４ａの前面で回動可能に軸支されている。ここで、装飾翼片３６，３６を軸支する第二の支軸３５，３５と、可動翼片１５，１５を軸支する第一の支軸２５，２５の配置関係は第一実施例と同じであり、第一の支軸２５，２５に対して夫々上方外側位置となる近傍位置に第二の支軸３５，３５が配設されている（図４参照）。
【００２４】
また、装飾翼片３６，３６は、上述した歯車機構からなる連係手段３８，３８を介して可動翼片１５，１５の回動に連動し、可動翼片１５，１５が傾動位置に回動したとき、装飾翼片３６，３６の主片部３６ａ，３６ａが可動翼片１５，１５の回動角度以上に同じ方向の外側方へ回動する位置（図６（イ）参照）に変換され、可動翼片１５，１５が起立位置に回動したとき、装飾翼片３６，３６の主片部３６ａ，３６ａが同じ方向に回動して起立位置となった可動翼片１５，１５と略重なる位置（図６（ロ）参照）に変換されるように設けられている。その他の構成は、第一実施例と同じであり、同一部分に同一符号を付して重複する説明を省略する。
【００２５】
かかる構成にあっては、主片部３６ａ，３６ａと補助片部３６ｂ，３６ｂとからなる装飾翼片３６，３６の全体が視認可能であり、可動翼片１５，１５の開閉作動時における装飾翼片３６，３６の回動がさらに目立つものとなるため、その装飾性をより向上させることができる。
【図面の簡単な説明】
【００２６】
【図１】本発明にかかるパチンコ遊技機の遊技盤１を示す正面図である。
【図２】第一実施例の可変入賞装置１３を示す分解斜視図である。
【図３】（イ）は可動翼片１５，１５が傾動位置にある状態、（ロ）は可動翼片１５，１５が起立位置にある状態を夫々示す第一実施例の可変入賞装置１３の斜視図である。
【図４】連係手段３８で連係された可動翼片１５，１５と装飾翼片３６，３６の構成を示し、（イ）は可動翼片１５，１５が傾動位置にある状態、（ロ）は可動翼片１５，１５が起立位置にある状態の縦断正面図である。
【図５】第二実施例の可変入賞装置１３を示す分解斜視図である。
【図６】（イ）は可動翼片１５，１５が傾動位置にある状態、（ロ）は可動翼片１５，１５が起立位置にある状態を夫々示す第二実施例の可変入賞装置１３の斜視図である。
【符号の説明】
【００２７】
１３  可変入賞装置
１４  球流入孔
１５  可動翼片
２５  第一の支軸
２７  副装飾面
３５  第二の支軸
３６  装飾翼片
３８  連係手段
３９  円弧形ラック
４０  ピニオン
【図１】
2005034427.tif 000003
【図２】
2005034427.tif 000004
【図３】
2005034427.tif 000005
【図４】
2005034427.tif 000006
【図５】
2005034427.tif 000007
【図６】
2005034427.tif 000008